(57)【特許請求の範囲】
【請求項１】
メッシュコーナーを連結する金具であって、
この金具は、鉛直方向の折曲部位で繋がった平面視して鍵形の対の本体板部と、この本体板部の一方側に設けた対の折曲げ支持部と、この本体板部の他方側に設けた対の折曲げ載置部とで構成し、
この対の折曲げ支持部の支持は、前記メッシュコーナーの対のメッシュ枠の上方の横棧とし、かつ、この折曲げ載置部の支持は、このメッシュコーナーの対のメッシュ枠の下方の横棧とし、
前記本体板部の支持は、前記メッシュ枠の外側とし、この折曲げ支持部と、折曲げ載置部の支持は、このメッシュ枠の内側とする構成としたメッシュコーナーの連結用金具。
【請求項２】
請求項１に記載のメッシュコーナーの連結用金具であって、
前記折曲げ支持部は、前記対の本体板部の上端に設けた折曲片と、この折曲片に繋がり、かつ垂下した第一の垂下係止片とで構成し、
前記折曲げ載置部は、前記対の本体板部の下端に設けた掛止段片と、この掛止段片に繋がり、かつ垂下した第二の垂下係止片とで構成し、
前記第一の垂下係止片は、前記対の本体板部の上端から、この対の本体板部の中心部位に到る長さとし、
前記第二の垂下係止片は、前記掛止段片より下向きに設け、かつ前記第一の垂下係止片の長さに対して、短い長さとする構成とし、
前記第一の垂下係止片と、前記第二の垂下係止片とは、同じ下向き方向の直列関係になる構成としたメッシュコーナーの連結用金具。
【請求項３】
請求項２に記載のメッシュコーナーの連結用金具であって、
前記対の本体板部は、前記メッシュ枠の外側に、この対の本体板部の内側は、このメッシュ枠の横棧に、それぞれ添設する構成としたメッシュコーナーの連結用金具。
【請求項４】
請求項２に記載のメッシュコーナーの連結用金具であって、
前記対の本体板部の折曲部位と、前記対の折曲片、及び前記対の第一の垂下係止片と、並びに前記対の掛止段片、及び前記対の第二の垂下係止片との、それぞれの対峙内側間にあるそれぞれの隙間には、前記メッシュ枠の枠体を設けた構成としたメッシュコーナーの連結用金具。
【請求項５】
請求項２に記載のメッシュコーナーの連結用金具であって、
前記対の本体板部に一個、又は数個の螺孔を開設し、この螺孔に止め具を設ける構成としたメッシュコーナーの連結用金具。
【請求項６】
請求項２に記載のメッシュコーナーの連結用金具であって、
前記対の本体板部と、第一の垂下係止部との間に設けた下向きの隙間には、可撓性の締め具を装着する構成としたメッシュコーナーの連結用金具。
【発明の詳細な説明】
【技術分野】
【０００１】
本発明は、メッシュコーナーの連結用金具（分離されたメッシュ枠を連結し、例えば、無底・無蓋形状のメッシュケースを構成する連結用金具）に関する。
【背景技術】
【０００２】
従来、この種のメッシュコーナー用の連結用金具、又は連結手段としては、例えば、メッシュ枠に設けた管体（筒体）と、隣接するメッシュ枠に設けた差込み杆とを利用した連結方法がある。しかし、この方法では、管体と差込み杆を、メッシュ枠の枠体（枠杆）に、それぞれ溶接する作業を要する改良点と、この枠体に、管体と差込み杆が一体となることから、収容時に邪魔となること、また、取扱が厄介であること等の改良点とが考えられる。その他として、例えば、特開平１１−４７３５号公報にも開示されているが（図１参照）、メッシュ枠（小物のメッシュ枠が主体）の枠体同士（隣接する枠体同士）をプラスチック体と止め螺子とを介して、固定する方法もあるが、メッシュコーナーに材質の異なる部材があり、違和感があること、又は止め螺子で固定することから工具と手間を要する問題を抱えている。
【０００３】
前記の改良点を解消できるメッシュコーナーの連結用金具を、先行文献から検討する。
【０００４】
その文献１は、特開２０００−８６５５号公報に記載の「フェンス用コーナー継手金具」であり、隣接する枠杆同士を、一方の固定金具と、他方の固定金具とを、連結金具で枢支した継手金具を介して連結する構造であり、この一方の固定金具と他方の固定金具が、可動自在であり、枠杆同士の角度を変更できることと、連結金具の長短調整を介して、隣接する枠体の間隔調整ができること、等の特徴がある。しかし、この継手金具は、連結金具を備えた構造であり、コーナーに空き（隙間）が生じ、体裁が悪いこと、危険であること、等の問題を抱えている。また、取付けには、常に工具を要するので、手間である。さらに、仮の使用例として、メッシュコーナー用継手金具として使用する一例で、例えば、このメッシュコーナーを、スーパー等の店内、店頭等において、その内部に、各種商品・玩具・日用品とか、バーゲン商品等の収容物を収容する際に、こぼれる恐れがあり、問題である。
【０００５】
文献（２）は、特開２００３−１００１３号公報の「陳列装置」であり、四つの陳列部材（陳列棚材）を枠組みするに際し、そのコーナー部も陳列台として活用するために、コーナー陳列台を配置する構造であり、これにより、立方形状の陳列ケースを構成する。従って、四面とコーナー面を、全て活用することと、この四棚の陳列部材を枠組み可能とすることを特徴とする。しかし、この陳列装置は、止め具と溶接で、組立てかつ一体化する構造であり、工具と手間を要すること、面倒であること、等の問題を抱えている。また。多数の部材と作業を基本とする構成の陳列装置であり、コストの上昇と、作業の複雑化を招来すること、等の改良点がある。
【０００６】
さらに、実用新案登録第３１６１３２０号公報の「ハンガー」であり、この考案に開示されたハンガーは、ハンガー本体の上方に折曲片を介して、掛止部を垂下するとともに、この掛止部の鉛直方向に切り溝を開設し、また、その下方に掛止肩部を介して、垂下部を形成するとともに、この掛止肩部と掛止部の鉛直方向に切り溝を開設した構造であり、この各切り溝を縦棧に套嵌するとともに、この折曲片と掛止部に上方の横棧を、掛止肩部を下方の横棧に掛止する構造である。このハンガーは、縦横棧を利用して、メッシュ（ネット）のフラット箇所に取付ける構造であり、メッシュコーナーの連結用金具としては、利用できない構造である。
【０００７】
【特許文献１】特開２０００−８６５５号公報
【特許文献２】特開２００３−１００１３号公報
【特許文献３】実用新案登録第３１６１３２０号公報
【発明の概要】
【発明が解決しようとする課題】
【０００８】
以上で説明した文献１−２は、それぞれ改良点と問題を抱えており、メッシュコーナーの連結用金具としては、適切でない。また、文献３は、縦横棧を利用して、メッシュ（ネット）のフラット箇所に取付ける構造であり、本発明の如く、メッシュコーナーの連結用金具としては、使用できない構造である。
【０００９】
上記に鑑み、本発明は、原則として、工具を要さず、かつ簡便に枠体同士を連結できるメッシュコーナーの連結用金具を提供すること、また、収容時に邪魔とならず、かつ取扱の容易なメッシュコーナーの連結用金具を提供すること、等を意図する。また、本発明は、コーナーに、自由に取付け、取外しができるメッシュコーナーの連結用金具とすることで、枠組み構成したメッシュ枠を、折畳み、又は分解可能とすることを意図する。
【課題を解決するための手段】
【００１０】
請求項１の発明は、工具を要さず、かつ簡便に枠体同士を連結できるメッシュコーナー用の連結用金具を提供すること、また、収容時に邪魔とならず、かつ取扱の容易なメッシュコーナー用の連結用金具を提供すること、等を意図する。また、請求項１の発明は、メッシュコーナーに、自由に取付け、取外しができるメッシュコーナーの連結用金具とすることで、枠組み構成したメッシュ枠を、折畳み、又は分解可能とすることを意図する。
【００１１】
請求項１は、メッシュコーナーを連結する金具であって、
この金具は、鉛直方向の折曲部位で繋がった平面視して鍵形の対の本体板部と、この本体板部の一方側に設けた対の折曲げ支持部と、この本体板部の他方側に設けた対の折曲げ載置部とで構成し、
この対の折曲げ支持部の支持は、前記メッシュコーナーの対のメッシュ枠の上方の横棧とし、かつ、この折曲げ載置部の支持は、このメッシュコーナーの対のメッシュ枠の下方の横棧とし、
前記本体板部の支持は、前記メッシュ枠の外側とし、この折曲げ支持部と、折曲げ載置部の支持は、このメッシュ枠の内側とする構成としたメッシュコーナーの連結用金具である。
【００１２】
請求項２の発明は、請求項１の意図を達成するに最適な、本体部の構造を提供することを意図する。
【００１３】
請求項２は、請求項１に記載のメッシュコーナーの連結用金具であって、
前記折曲げ支持部は、前記対の本体板部の上端に設けた折曲片と、この折曲片に繋がり、かつ垂下した第一の垂下係止片とで構成し、
前記折曲げ載置部は、前記対の本体板部の下端に設けた掛止段片と、この掛止段片に繋がり、かつ垂下した第二の垂下係止片とで構成し、
前記第一の垂下係止片は、前記対の本体板部の上端から、この対の本体板部の中心部位に到る長さとし、
前記第二の垂下係止片は、前記掛止段片より下向きに設け、かつ前記第一の垂下係止片の長さに対して、短い長さとする構成とし、
前記第一の垂下係止片と、前記第二の垂下係止片とは、同じ下向き方向の直列関係になる構成としたメッシュコーナーの連結用金具である。
【００１４】
請求項３の発明は、請求項２の意図を達成することと、対の本体板部の確実な取付けが図れる構造を提供することを意図する。
【００１５】
請求項３は、請求項２に記載のメッシュコーナーの連結用金具であって、
前記対の本体板部は、前記メッシュ枠の外側に、この対の本体板部の内側は、このメッシュ枠の横棧に、それぞれ添設する構成としたメッシュコーナーの連結用金具である。
【００１６】
請求項４の発明は、請求項２の意図を達成することと、対の本体板部の枠体への確実な取付けが図れる構造を提供することを意図する。
【００１７】
請求項４は、請求項２に記載のメッシュコーナーの連結用金具であって、
前記対の本体板部の折曲部位と、前記対の折曲片、及び前記対の第一の垂下係止片と、並びに前記対の掛止段片、及び前記対の第二の垂下係止片との、それぞれの対峙内側間にあるそれぞれの隙間には、前記メッシュ枠の枠体を設けた構成としたメッシュコーナーの連結用金具である。
【００１８】
請求項５・６の発明は、請求項２の意図を達成することと、対の本体板部の確実な取付けを担持する構造を提供することを意図する。
【００１９】
請求項５は、請求項２に記載のメッシュコーナーの連結用金具であって、
前記対の本体板部に一個、又は数個の螺孔を開設し、この螺孔に止め具を設ける構成としたメッシュコーナーの連結用金具である。
【００２０】
請求項６は、請求項２に記載のメッシュコーナーの連結用金具であって、
前記対の本体板部と、第一の垂下係止部との間に設けた下向きの隙間には、可撓性の締め具を装着する構成としたメッシュコーナーの連結用金具である。
【発明の効果】
【００２１】
請求項１の発明は、メッシュコーナーを連結する金具であって、
金具は、鉛直方向の折曲部位で繋がった平面視して鍵形の対の本体板部と、本体板部の一方側に設けた対の折曲げ支持部と、本体板部の他方側に設けた対の折曲げ載置部とで構成し、
対の折曲げ支持部の支持は、メッシュコーナーの対のメッシュ枠の上方の横棧とし、かつ、折曲げ載置部の支持は、メッシュコーナーの対のメッシュ枠の下方の横棧とし、
本体板部の支持は、メッシュ枠の外側とし、折曲げ支持部と、折曲げ載置部の支持は、メッシュ枠の内側とする構成としたメッシュコーナーの連結用金具である。
【００２２】
従って、請求項１は、工具を要さず、かつ簡便に枠体同士を連結できるメッシュコーナーの連結用金具を提供すること、また、収容時に邪魔とならず、かつ取扱の容易なメッシュコーナーの連結用金具を提供できること、等の特徴がある。また、請求項１は、メッシュコーナーに、自由に取付け、取外しができるメッシュコーナーの連結用金具とすることで、枠組み構成したメッシュ枠を、折畳み、又は分解可能となる利点がある。
【００２３】
請求項２の発明は、請求項１に記載のメッシュコーナーの連結用金具であって、
折曲げ支持部は、対の本体板部の上端に設けた折曲片と、折曲片に繋がり、かつ垂下した第一の垂下係止片とで構成し、
折曲げ載置部は、対の本体板部の下端に設けた掛止段片と、掛止段片に繋がり、かつ垂下した第二の垂下係止片とで構成し、
第一の垂下係止片は、対の本体板部の上端から、対の本体板部の中心部位に到る長さとし、
第二の垂下係止片は、掛止段片より下向きに設け、かつ第一の垂下係止片の長さに対して、短い長さとする構成とし、
第一の垂下係止片と、第二の垂下係止片とは、同じ下向き方向の直列関係になる構成としたメッシュコーナーの連結用金具である。
【００２４】
従って、請求項２は、請求項１の意図を達成するに最適な、本体部の構造を提供できる特徴がある。
【００２５】
請求項３の発明は、請求項２に記載のメッシュコーナーの連結用金具であって、
対の本体板部は、メッシュ枠の外側に、対の本体板部の内側は、メッシュ枠の横棧に、それぞれ添設する構成としたメッシュコーナーの連結用金具である。
【００２６】
従って、請求項３は、請求項２の意図を達成できることと、対の本体板部の確実な取付けが図れる構造を提供できること、等の特徴がある。
【００２７】
請求項４の発明は、請求項２に記載のメッシュコーナーの連結用金具であって、
対の本体板部の折曲部位と、対の折曲片、及び対の第一の垂下係止片と、並びに対の掛止段片、及び対の第二の垂下係止片との、それぞれの対峙内側間にあるそれぞれの隙間には、メッシュ枠の枠体を設けた構成としたメッシュコーナーの連結用金具である。
【００２８】
従って、請求項４は、請求項２の意図を達成できることと、対の本体板部の枠体への確実な取付けが図れる構造を提供できること、等の特徴がある。
【００２９】
請求項５の発明は、請求項２に記載のメッシュコーナーの連結用金具であって、
対の本体板部に一個、又は数個の螺孔を開設し、螺孔に止め具を設ける構成としたメッシュコーナーの連結用金具である。
【００３０】
請求項６の発明は、請求項２に記載のメッシュコーナーの連結用金具であって、
対の本体板部と、第一の垂下係止部との間に設けた下向きの隙間には、可撓性の締め具を装着する構成としたメッシュコーナーの連結用金具である。
【００３１】
従って、請求項５・６は、請求項２の意図を達成できることと、対の本体板部の確実な取付けを担持する構造を提供できること、等の特徴がある。
【図面の簡単な説明】
【００３２】
【図１−１】第一実施例の使用状態を示した正面縮尺斜視図
【図１−２】他の第一実施例の使用状態を示した正面縮尺斜視図
【図２−１】第一実施例の連結用金具の使用状態を示したメッシュ枠の内部から見た斜視図
【図２−２】他の第一実施例の連結用金具の使用状態であり、メッシュ枠の内部から見た斜視図
【図３−１】第一実施例の連結用金具の使用状態であり、メッシュ枠の外部から見た斜視図
【図３−２】他の第一実施例の連結用金具の使用状態であり、メッシュ枠の外部から見た斜視図
【図４】第一実施例、又は他の第一実施例のメッシュ枠の枠体の下部を連結するリングの使用状態を示した斜視図
【図５−１】第一実施例の使用状態を示した平面図
【図５−２】他の第一実施例の使用状態を示した平面図
【図６−１】第一実施例の連結用金具を示した正面斜視図
【図６−２】他の第一実施例の連結用金具を示した正面斜視図
【図７−１】第一実施例のメッシュ枠を示した正面縮尺斜視図
【図７−２】他の第一実施例のメッシュ枠を示した正面縮尺斜視図
【図８−１】第一実施例の連結用金具を展開した状態の図
【図８−２】他の第一実施例の連結用金具を展開した状態の図
【図９−１】第二実施例の使用状態を示した正面縮尺斜視図
【図９−２】他の第二実施例の使用状態を示した正面縮尺斜視図
【図１０−１】第二実施例の連結用金具の使用状態を示したメッシュ枠の内部から見た斜視図
【図１０−２】他の第二実施例の連結用金具の使用状態を示したメッシュ枠の内部から見た斜視図
【図１１−１】第二実施例の連結用金具の使用状態を示したメッシュ枠の外部から見た斜視図
【図１１−２】他の第二実施例の連結用金具の使用状態を示したメッシュ枠の外部から見た斜視図
【図１２−１】第二実施例の連結用金具を示した斜視図
【図１２−２】他の第二実施例の連結用金具を示した斜視図
【図１３−１】第二実施例の連結用金具の使用状態を示した平面図
【図１３−２】他の第二実施例の連結用金具の使用状態を示した平面図
【図１４−１】第二実施例の連結用金具を展開した状態の図
【図１４−２】他の第二実施例の連結用金具を展開した状態の図
【図１５−１】第二実施例（第一実施例も同じ）の連結用金具と止め具との他の一例を示した斜視図
【図１５−２−１】第二実施例（第一実施例も同じ）の連結用金具と止め具との別の一例を示した斜視図
【図１５−２−２】図１５−２−１の分解斜視図
【図１５−３】第二実施例（第一実施例も同じ）の連結用金具と止め具とのさらの他の一例を示した斜視図
【発明を実施するための形態】
【００３３】
図１−１〜図７−１（−１の枝番）に示したメッシュコーナーを連結する第一実施例の連結用金具Ａと、同他の第一実施例の連結用金具Ａ１とを説明する。先ず、連結用金具Ａは、図８に示した方形状の板材１ａの鉛直方向Ｂの中心に設けた折曲部位１ｂから折曲げた対の本体板部１００、１００（対の例では、一つの図番で表示する）と、この対の本体板部１００の上端には、この上端より上方に突出１００ａするように延設し、かつこの突出１００ａ箇所より、その内側１００ｂに向って折曲げ形成した折曲片２と、この折曲片２より鉛直方向Ｂに垂下した第一の垂下係止片３とを、形成する（この折曲片２と、第一の垂下係止片３とで折曲げ支持部を形成する）。そして、この折曲片２と第一の垂下掛止片３は、対の本体板部１００の自由端側１００ｃから折曲部位１ｂに至る中心部位１ｃまで（本体板部１００の自由端側１００ｃから、この本体板部１００の幅方向においての中心まで）形成する。また、この対の本体板部１００の下端には、内側１００ｂに向って折曲げ形成した掛止段片５と、この掛止段片５より鉛直方向Ｂに向って、垂下した第二の垂下係止片６とを、形成する（この掛止段片５と、第二の垂下係止片６とで折曲げ載置部を形成する）。そして、この掛止段片５と第二の垂下掛止片６は、対の本体板部１００の自由端側１００ｃから折曲部位１ｂに至る中心部位１ｃまで形成する。尚、前記第一の垂下係止片３と、第二の垂下係止片６とは、同じ内側１００ｂで、かつ鉛直方向Ｂにおいて、同じ上下方向であり、その幅も同じとする。但し、垂下長さは、第一の垂下係止片３＞第二の垂下係止片６となる長短とともに、この長短による重さの差を利用して、連結、取付の安定性と、並びに取付け、差込みの簡便化と容易化等が図れる特徴がある。
【００３４】
また、図１−２〜図７−２（−２の枝番）に示した他の第一実施例の連結用金具Ａ１では、構造は、前述した第一実施例に準ずるが、この他の第一実施例では、抜止防止用の止め具７と、この止め具７の螺杆７０が螺入される螺孔８を本体板部１００に形成する。この止め具７は、原則として、工具を要さず、手先で螺入と螺戻ができる。そして、この図１−２〜図７−２に示した他の第二実施例の連結用金具Ａ１において、その構造は、他の第一実施例の連結用金具Ａと同じ構造である。
【００３５】
この第一実施例と、他の第一実施例の連結用金具ＡとＡ１を取付けるメッシュ枠１０に関して説明すると、このメッシュ枠１０は、規格の方形状のメッシュ１１（ネット）と、このメッシュ１１を構成する縦棧１１００と、同横棧１１０１と、このメッシュ１１を束ねる方形状の枠体１２とで構成する。この枠体１２はメッシュ１１（縦横棧１１００、１１０１）より太径とするとともに、このメッシュ１１の各端部を、それぞれ溶接、差込みして固定する。
【００３６】
次に、この第一実施例と、他の第一実施例の連結用金具ＡとＡ１を利用し、四枚のメッシュ枠１０（枚数は省略する。また、組付ける枚数は、限定されない）を組立てる一例を説明すると、このメッシュ枠１０、１０（対の場合には、一つの符号で、１０とする）のそれぞれの枠体１２の下部は、図４の如く、リング１３を介して、連結されるとともに、この四枚のメッシュ枠１０を内側に折畳み可能とする。この二枚の隣接するメッシュ枠１０の隣接する対の枠体１２に、本体板部１００の折曲部位１ｂより横方向（鉛直方向Ｂと交差する方向）の部位、即ち、本体板部１００の内側１００ｂを添設するとともに、メッシュ枠１０の上方の横棧１１０１の上から、第一の垂下係止片３を、それぞれ差し入れる。また、下方の横棧１１０１の上から、下方の第二の垂下係止片６を、それぞれ差し入れる。この差し入れが、略終了した時点で、折曲片２が上方の横棧１１０１に、それぞれ係止され、かつ第一の垂下係止片３が上方の横棧１１０１の内側に添設されるとともに、掛止段片５が、それぞれ下方の横棧１１０１に載架され、かつ第二の垂下係止片６が下方の横棧１１０１の内側に添設される。そして、この第一の垂下係止片３と第二の垂下係止片６が、横棧１１０１の内側にセットされる。また、本体板部１００がメッシュ枠１０の外側にセットされる。この状態で、隣接する枠体１２に連結用金具Ａが取付けられることで、隣接するメッシュ枠１０の組付けが完了する。このセットが完了した状態が、図２−１と図３−１に示してある。そして、横棧１１０１（又は縦棧１１００）より太径の枠体１２を隣接した状態で、各折曲片２（対の折曲片２）を上下方の横棧１１０１にそれぞれ係止することと、この枠体１２を各折曲片２、及び各第一の垂下係止片３で抱持するために（各折曲片２、及び各第一の垂下係止片３間に枠体１２を挿嵌するために）、この各折曲片２、及び各第一の垂下係止片３は、本体板部１００の折曲部位１ｂから、各隙間Ｃを介して設ける構造とする。この状態が、図９−１と図５−１等に示されている。また、各掛止段片５、及び各第二の垂下係止片６間に枠体１２を挿嵌するために、前記と同様な各隙間Ｃが形成されている。また、横棧１１０１の上面を、本体板部１００の上端が覆い、かつこの横棧１１０１を、折曲片２で抱持すること、及び／又は、連結用金具Ａを、雰囲気よく取付けるために、この折曲片２が本体板部１００の上端より上方に突出１００ａした構造とする。以上のような操作で、複数の連結用金具Ａを、それぞれのコーナーに取付けることで、メッシュ枠１０が組立てられる。この組立てた状態が、図７−１に示してある。
【００３７】
尚、他の第一実施例では、止め具７を螺入し、この止め具７の螺杆７０を上方の横棧１１０１の下側に設ける。この組立てた状態が、図７−２に示してある。この他の第一実施例では、連結用金具Ａ１、又はメッシュ枠１０を持上げ、又は引上げ等しても、このメッシュ枠１０が分解せず、かつこの連結金具Ａ１が外れない特徴がある。また、メッシュ枠１０の何れを、持上げた際の、他のメッシュ枠１０の抜止め、又は落下防止である。この組立てられた状態で、販売商品用の展示・販売・在庫等の棚、又は図１−１、図１−２に示す展示・販売・在庫等のカート１５にセットされる。
【００３８】
また、連結用金具Ａの取外は、本体板部１００と第一の垂下係止片３を指先で把持し、
この本体板部１００の下端を、メッシュ枠１０の内側に振り、そのまま持上げることで、この本体板部１００を、上下方の横棧１１０１、１１０１から、簡易に取外しできる。尚、連結用金具Ａ１の場合には、止め具７を螺戻し、この本体板部１００を、上方の横棧１１０１の係止から外し、前述と同じ操作をすることで、簡易に取外しできる。
【００３９】
続いて、図９−１〜図１２−１（−１の枝番）に示したメッシュコーナーを連結する第二実施例の連結用金具Ｄと、同他の第二実施例の連結用金具Ｄ１とを説明する。先ず、連結用金具Ｄにおいて、その構造は、第一実施例の連結用金具Ａと同じ構造である。その相違点は、メッシュ枠１０の枠体１２−１が細径（第一実地例と同様に、太径もあり得る。）で、縦横棧１１００、１１０１と同じであることから、この各折曲片２、及び各第一の垂下係止片３は、本体板部１００の折曲部位１ｂから、それぞれ隙間Ｃ１を介して設ける構造とし、また、各掛止段片５、及び各第二の垂下係止片６は、本体板部１００の折曲部位１ｂから、それぞれ隙間Ｃ１を介して設ける構造である。この構造により、前記各隙間Ｃ１が形成されることで、この各隙間Ｃ１に、隣接する枠体１２−１がそれぞれ挿嵌される。この状態が、図９−１と図１０−１等に示されている。また、各掛止段片５、及び各第二の垂下係止片６間に枠体１２−１を挿嵌するために、前記と同様な各隙間Ｃ１が形成されている。その他の構造と使用は、前述の第一実施例の連結用金具Ａに準ずる。
【００４０】
また、図９−２〜図１２−２（−２の枝番）に示した他の第二実施例の連結用金具Ｄ１において、その構造は、第二実施例の連結用金具Ｄと同じ構造である。その相違点は、メッシュ枠１０の枠体１２−１が細径で、縦横棧１１００、１１０１と同じであることから、この各折曲片２、及び各第一の垂下係止片３は、本体板部１００の折曲部位１ｂから、それぞれ隙間Ｃ１を介して設ける構造とし、また、各掛止段片５、及び各第二の垂下係止片６は、本体板部１００の折曲部位１ｂから、それぞれ隙間Ｃ１を介して設ける構造である。この構造により、前記各隙間Ｃ１が形成されることで、この各隙間Ｃ１に、隣接する枠体１２−１がそれぞれ挿嵌される。この状態が、図９−２と図１０−２等に示されている。そして、この他の第二実施例では、止め具７を使用するが、その構造と使用例は前述の他の第一実施例に準ずる。尚、その他の構造と使用は、前述の第二実施例の連結用金具Ｄに準ずる。
【００４１】
又、図１５−１〜図１５−３の各例は、止め具７の他の実施例である。図１５−１の一例は、止め具７と螺孔８付きのスペーサ２１との組合せであり、スペーサ２１を本体板部１００と第一垂下係止片３との間に差込み支持する。また、図１５−２−１と図１５−２−２は、ベルト２２の構造であり、対の本体板部１００に引掛け、その折曲形成した両端部２２００を、本体板部１００の両端部に挾持し、この両端部２２００で、上方の横棧１１０１を係止し、抜止め（メッシュ枠１０の何れを、持上げた際の、他のメッシュ枠１０の落下防止である）を図る構造である。また、図１５−３は、バネ２３の構造であり、本体板部１００と第一垂下係止片３との間に差込み、上方の横棧１１０１を支持する。
【００４２】
そして、前述した各実施例は、好ましい一例を示したものであり、同様な効果と特徴を有する他のメッシュコーナーの連結用金具は、本発明の範疇である。
【符号の説明】
【００４３】
１ａ          板材
１ｂ          折曲部位
１ｃ          中心部位
１００        本体板部
１００ａ      突出
１００ｂ      内側
１００ｃ      自由端側
２            折曲片
３            第一の垂下係止片
５            掛止段片
６            第二の垂下係止片
７            止め具
７０          螺杆
８            螺孔
１０          メッシュ枠
１１          メッシュ
１１００      縦棧
１１０１      横棧
１２          枠体
１２−１      枠体
１３          リング
１５          カート
２０          ケース
２１          スペーサ
２２          ベルト
２２００      端部
２３          バネ
Ａ            連結用金具
Ａ１          連結用金具
Ｂ            鉛直方向
Ｃ            隙間
Ｃ１          隙間
Ｄ            連結用金具
Ｄ１          連結用金具
【図１−１】
0005888875.tif 000002
【図１−２】
0005888875.tif 000003
【図２−１】
0005888875.tif 000004
【図２−２】
0005888875.tif 000005
【図３−１】
0005888875.tif 000006
【図３−２】
0005888875.tif 000007
【図４】
0005888875.tif 000008
【図５−１】
0005888875.tif 000009
【図５−２】
0005888875.tif 000010
【図６−１】
0005888875.tif 000011
【図６−２】
0005888875.tif 000012
【図７−１】
0005888875.tif 000013
【図７−２】
0005888875.tif 000014
【図８−１】
0005888875.tif 000015
【図８−２】
0005888875.tif 000016
【図９−１】
0005888875.tif 000017
【図９−２】
0005888875.tif 000018
【図１０−１】
0005888875.tif 000019
【図１０−２】
0005888875.tif 000020
【図１１−１】
0005888875.tif 000021
【図１１−２】
0005888875.tif 000022
【図１２−１】
0005888875.tif 000023
【図１２−２】
0005888875.tif 000024
【図１３−１】
0005888875.tif 000025
【図１３−２】
0005888875.tif 000026
【図１４−１】
0005888875.tif 000027
【図１４−２】
0005888875.tif 000028
【図１５−１】
0005888875.tif 000029
【図１５−２−１】
0005888875.tif 000030
【図１５−２−２】
0005888875.tif 000031
【図１５−３】
0005888875.tif 000032